(57)【要約】      （修正有）【課題】暖房器具としての機能だけではなくインテリアとしての美観を備えるストーブを提供する。【解決手段】燃料が燃焼される燃焼部３が表面に設けられた筐体２と、筐体２の表面２ａに設けられて燃焼部３へ供給される燃焼用流体を調整する調整装置４とを備えるストーブであって、調整装置４は、燃焼部３を周方向に囲んで表面に配置される複数の調整板４ａ、４ｂ、４ｃを備え、複数の調整板４ａ、４ｂ、４ｃは、隣り合う調整板４ａ、４ｂ、４ｃと間隔を隔てて配置されるとともに、表面２ａの中心線に対して非対称に配置されており、隣り合う調整板４ａ、４ｂ、４ｃの間に設けられた空隙には、燃焼部３へ供給される燃焼用流体の複数の流路が設けられて、調整板４ａ、４ｂ、４ｃは、流路の少なくとも一部を遮るように配置されている。【選択図】図１
0003226708.tif 000002
【実用新案登録請求の範囲】
【請求項１】
燃料が燃焼される燃焼部が表面に設けられた筐体と、
前記筐体の表面に設けられて前記燃焼部へ供給される燃焼用流体を調整する調整装置とを備えるストーブであって、
前記調整装置は、前記燃焼部を周方向に囲んで前記表面に配置される複数の調整板を備え、
前記複数の調整板は、隣り合う前記調整板と間隔を隔てて配置されるとともに、前記表面の中心線に対して非対称に配置されており、
隣り合う前記調整板の間に設けられた空隙には、前記燃焼部へ供給される前記燃焼用流体の複数の流路が設けられて、
前記調整板は、前記流路の少なくとも一部を遮るように配置されていることを特徴とすることを特徴とするストーブ。
【請求項２】
前記調整板は、前記燃焼部に配置する面が山型に湾曲していることを特徴とする請求項１記載のストーブ。
【請求項３】
前記調整板は、前記調整板の一側端部を軸として回動させる位置制御機構をさらに設けたことを特徴とする請求項１及び２記載のストーブ。
【考案の詳細な説明】
【技術分野】
【０００１】
本考案は、インテリアとしても使用することができるストーブに関する。
【背景技術】
【０００２】
屋内に配置するストーブは、暖房器具としての機能だけではなく、屋内を装飾するインテリアとしての機能を求められることが多く、インテリアとしての視覚的美観を併せ持つものが多い。
【０００３】
このように、インテリアとしての機能も併せ持つストーブとして例えば特許文献１記載の暖房器具がある。
【先行技術文献】
【特許文献】
【０００４】
【特許文献１】特開Ｈ３―２７４３２４号公報
【０００５】
特許文献１の暖房器具は、有機金属を含有する炎色剤を備える放射線状炎色体をバーナの炎口部に配置することにより、バーナの炎色部から放出される炎に、放射線状炎色体の炎色反応による炎の色が加味されて、インテリアとしての美観を有する炎を備える暖房器具となる。また、この放射線状炎色体は、所定時間が経過すると、駆動装置により回転されて新たな有機金属を有する放射線状炎色体がバーナの炎色口に配置されるので、炎色反応による炎の色を変化させることができる。
【考案の概要】
【考案が解決しようとする課題】
【０００６】
しかしながら、特許文献１の暖房器具は炎色反応を用いて炎の色を変化させることができても、炎の形状を変えることによってインテリアとしての視覚的な美観を得ることはできない。
【０００７】
本考案は、上述の課題に鑑みて考案されたものであって、炎の形状を変えることによって暖房器具としての機能だけではなくインテリアとしての美観を備えるストーブを提供することをその主たる目的とするものである。
【課題を解決するための手段】
【０００８】
本考案は、燃料が燃焼される燃焼部が表面に設けられた筐体と、前記筐体の表面に設けられて前記燃焼部へ供給される燃焼用流体を調整する調整装置とを備えるストーブであって、前記調整装置は、前記燃焼部を周方向に囲んで前記表面に配置される複数の調整板を備え、前記複数の調整板は、隣り合う前記調整板と間隔を隔てて配置されるとともに、前記表面の中心線に対して非対称に配置されており、前記複数の調整板が隣り合う空隙には、前記燃焼部へ供給される前記燃焼用流体の複数の流路が設けられて、前記調整板は、前記流路の少なくとも一部を遮るように配置されていることを特徴とするストーブ。
【０００９】
上述の構成により、調整板は、筐体の表面の中心線に対して非対称に配置されるとともに燃焼部へ供給される燃焼用流体の流路の少なくとも一部を遮るように配置されているので、該流路から燃焼部へ供給される燃焼用流体は調整板に当接してその進行方向が変わり、燃焼部の周囲を回転するように対流する。この流体の流れによって燃焼部の炎が螺旋状に回転する。この構成により、燃焼部の炎の形状を変えることができ、インテリアとしての視覚的な美観を得ることができる。
【００１０】
本考案のストーブの具体的な一態様としては、前記調整板は、前記燃焼部に配置する面が山型に湾曲しているものを挙げることができる。
【００１１】
上述の構成により、調整板が燃焼部側に山型に湾曲しているので、調整板が平面であった場合よりも調整板に当接した燃焼用流体が様々な角度に進行方向を変えるので、より滑らかに燃焼部の周囲を回転することにより、流体量が少ない場合であっても燃焼部の炎を回転させることができる。
【００１２】
本考案のストーブの具体的な一態様としては、前記調整板は、前記調整板の一側端部を軸として回動させる位置制御機構をさらに設けたものを挙げることができる。
【００１３】
上述の構成により、調整板を一側端部を軸として回動させることで調整板に当接する燃焼用流体の進行方向を所望の方向に変えることができ、燃焼部の周囲を回転する燃焼用流体の流速を変えて、燃焼部の炎を回転させる回転速度を変化させることができ、所望の回転速度で炎を回転させて、燃焼部の炎の形状を変えることができる。また、合わせて隣り合う調整板の空隙の大きさを変化させることができるので、流路から流入される燃焼用流体の流束を変化させることができ、炎の大きさも変化させることができる。そのため、インテリアとしての視覚的な美観をさらに高めることができる。
【考案の効果】
【００１４】
本考案は、暖房器具としての機能だけではなくインテリアとしての美観を備えるストーブを提供することができる。
【図面の簡単な説明】
【００１５】
【図１】第１実施形態におけるストーブの概略図。
【図２】第１実施形態におけるストーブの平面図。
【図３】第１実施形態の変形例におけるストーブの概略図。
【図４】第１実施形態の変形例におけるストーブの平面図。
【図５】第２実施形態におけるストーブの概略図。
【図６】第２実施形態におけるストーブの平面図。
【図７】その他の実施形態におけるストーブの平面図。
【考案を実施するための形態】
【００１６】
本考案のストーブの一実施形態について、以下図面を用いながら詳細に説明する。
【００１７】
＜第１実施形態＞
第１実施形態におけるストーブは、例えばバイオエタノール等の液体材料を燃料とするものであって、図１及び図２に示すように、燃料が燃焼される燃焼部３が表面２ａに設けられた筐体２と、筐体２の表面２ａに設けられて燃焼部３へ供給される燃焼用流体を調整する調整装置４とを備える。
【００１８】
筐体２は、その内部に燃料を収容する収容空間（不図示）が形成されるとともに、収容空間に連通し、収容空間に収容された燃料が気化して排出される燃焼部３が表面２ａに設けられたものであって、本実施形態では略円柱形状をなしている。燃焼部３には、収容空間に連通する孔部３ａを備え、該孔部３ａから排出される気化された燃料と、燃焼用流体（空気中の酸素）とが結合することにより、燃焼部３において、燃料が燃焼されて火炎が発生する。
【００１９】
調整装置４は、燃焼部３への燃焼用流体を調整するものであって、図１及び図２に示すように、筐体２の表面２ａに配置されるとともに、燃焼部３を周方向に囲んで配置される複数の調整板４ａ、４ｂ、４ｃを備える。
【００２０】
この調整板４ａ、４ｂ、４ｃは、例えば耐熱性能を備えるセラミックス素材等を用いることができ、本実施形態では耐熱性ガラスを用いられている。このように透過性を有する部材を用いることによって、火炎の状態を使用者が視認しやすくなり、インテリアとしての美観を向上させることができる。
【００２１】
複数の調整板４ａ、４ｂ、４ｃは、隣り合う調整板４ａ、４ｂ、４ｃと間隔を隔てて配置されるとともに、筐体２の表面２ａの中心線に対して非対称に配置されている。隣り合う調整板４ａ、４ｂ、４ｃの間に設けられた空隙は、燃焼用流体を燃焼部３へと移動させるそれぞれ流路Ａ、流路Ｂ、流路Ｃとなる。そのため、本実施形態では、第１調整板４ａと第２調整板４ｂとの間に第１流路Ａが設けられ、第２調整板４ｂと第３調整板４ｃとの間に第２流路Ｂが設けられ、第３調整板４ｃと第１調整板４ａとの間に第３流路Ｃが設けられる。
【００２２】
このとき、調整板４ａ、４ｂ、４ｃは、流路Ａ、流路Ｂ、流路Ｃの少なくとも一部の進行方向を遮るものであり、本実施形態では、第１流路Ａの進行方向を第２調整板４ｂが遮り、第２流路Ｂの進行方向を第３調整板４ｃが遮り、第３流路Ｃの進行方向を第１調整板４ａが遮る。
【００２３】
上述の構成により、第１流路Ａから燃焼部３に供給される燃焼用流体は一部が燃焼部３において気化した燃料と結合するとともに、一部が第２調整板４ｂに当接する。また、第２流路Ｂから燃焼部３に供給される燃焼用流体は一部が燃焼部３において気化した燃料と結合するとともに、一部が第３調整板４ｃに当接する。さらに、第３流路Ｃから燃焼部３に供給される燃焼用流体は一部が燃焼部３において気化した燃料と結合するとともに、一部が第１調整板４ａに当接する。
【００２４】
このとき、燃焼用流体は調整板４ａ、４ｂ、４ｃに対する入射角度が鈍角を成す側に進行方向を変えるため、調整板４ａ、４ｂ、４ｃの燃焼用流体が当接する当接面と燃焼用流体の進行方向とが略直角とならないように、該当接面を燃焼用流体の進行方向と直角となる位置から予め傾けておく。つまり、調整板４ａ、４ｂ、４ｃのそれぞれの一側端部から燃焼部３までの距離と、他側端部から燃焼部３までの距離とが異なるように、調整板４ａ、４ｂ、４ｃを配置する。
【００２５】
本実施形態では例えば、第１調整板４ａは、第３調整板４ｃが隣に配置する一側端部から燃焼部３までの距離が、第２調整板４ｂが隣に配置する他側端部から燃焼部３までの距離よりも長くなるように配置しており、第２調整板４ｂは、第１調整板４ａが隣に配置する一側端部から燃焼部３までの距離が、第３調整板４ｃが隣に配置する他側端部から燃焼部３までの距離よりも長くなるように配置しており、第３調整板４ｃは、第２調整板４ｂが隣に配置する一側端部から燃焼部３までの距離が第１調整板４ａが隣に配置する他側端部から燃焼部３までの距離よりも長くなるように配置している。
【００２６】
このようにすることで、第３流路Ｃを通って第１調整板４ａに当接した燃焼用流体は第２調整板４ｂが配置する方向に進行方向が変わり、第１流路Ａを通って第２調整板４ｂに当接した燃焼用流体は第３調整板４ｃが配置する方向に進行方向が変わり、第２流路Ｂを通って第３調整板４ｃに当接した燃焼用流体は第１調整板４ａが配置する方向に進行方向が変わることによって、燃焼部３の周囲には反時計回りの対流が発生する。
【００２７】
この対流の発生によって、燃焼部３の火炎が反時計方向に渦を巻くこととなり、燃焼部３の炎の形状が変化して螺旋を描く。
【００２８】
上述のように構成された第１実施形態のストーブは、調整板４ａ、４ｂ、４ｃの間に設けられた燃焼部３へ燃焼用の流体を供給する流路Ａ、流路Ｂ、流路Ｃが調整板４ａ、４ｂ、４ｃによってその進行方向を遮るように配置されていることから、該流路Ａ、流路Ｂ、流路Ｃから供給される燃焼用流体が調整板４ａ、４ｂ、４ｃに当接するとその進行方向が変わり燃焼部３の周囲を回転するように対流し、この対流によって燃焼部３の炎が螺旋状に回転する。この構成により、燃焼部３の炎の形状を変えることができ、インテリアとしての視覚的な美観を得ることができる。
【００２９】
上述の第１実施形態のストーブ１‘の変形例としては、図３及び図４に示すように、調整板５ａ、５ｂ、５ｃの燃焼部３に近接する面が山型に湾曲しているものを挙げることができる。この実施例においては、例えば第１調整板５ａは、第３調整板５ｃが隣に配置する一側端部から燃焼部３までの距離が、第２調整板５ｂが隣に配置する他側端部から燃焼部３までの距離よりも短くなるように配置されており、第２調整板５ｂは、第１調整板５ａが隣に配置する一側端部から燃焼部３までの距離が、第３調整板５ｃが隣に配置する他側端部から燃焼部３までの距離よりも短くなるように配置されており、第３調整板５ｃは、第２調整板５ｂが隣に配置する一側端部から燃焼部３までの距離が、第１調整板５ａが隣に配置する他側端部から燃焼部３までの距離よりも短くなるように配置されている。
【００３０】
上述の構成では、湾曲している調整板５ａ、５ｂ、５ｃに当接した流路Ａ，Ｂ、Ｃから供給される燃焼用流体が、湾曲面によって平面の場合よりも多方向に燃焼用流体の進行方向を変えることができるので、より滑らかに対流を発生させて炎の形状を螺旋状に変化させることができる。なお、この実施例においては時計回りに対流が発生するため、時計回りの対流を発生させることができる。
【００３１】
＜第２実施形態＞
第２実施形態におけるストーブについて、以下図面を用いて説明する。第１実施形態と同様の部分には同一の符号を付し、説明を省略する。
【００３２】
第２実施形態におけるストーブ６は、図５及び図６に示すように、調整板４を一側端部を軸として回動させる位置制御機構７をさらに備える。
【００３３】
位置制御機構７は、略扇形状の孔部をなし、筐体２の表面２ａの調整板４ａ、４ｂ、４ｃが起立して配置される位置制御孔部８と、調整板４ａ、４ｂ、４ｃに設けられて位置制御孔部８内において調整板４を回動させる回動部９とを備える。
【００３４】
位置制御孔８は、扇状の中心となる一端部が調整板４ａ、４ｂ、４ｃの底面の短手方向の幅と同等の開口幅を備え、円弧を描く他端部までの開口長さが、該底面の長手方向の長さと同等となるように構成される。
【００３５】
本実施形態では、位置制御孔８は、平面視において、第１調整板４ａの第３調整板４ｃが隣に配置する一側端部から第２調整板４ｂが隣に配置する他側端部に向かって扇型をなしており、第２調整板４ｂの第１調整板４ａが隣に配置する一側端部から第３調整板４ｃが隣に配置する他側端部に向かって扇型をなしており、第３調整板４ｃの第１調整板４ａが隣に配置する一側端部から第２調整板４ｂが隣に配置する他側端部に向かって扇型をそれぞれなしている。そのため、第１調整板４ａは、第３調整板４ｃが隣に配置する一側端部を軸として、第２調整板４ｂは、第１調整板４ａが隣に配置する一側端部を軸として、第３調整板４ｃは、第２調整板４ｂが隣に配置する一側端部を軸としてそれぞれ回動可能に構成される。
【００３６】
回動部９は、位置制御孔８の一端部に配置する調整板４ａ、４ｂ、４ｃの底面に調整板４ａ、４ｂ、４ｃを位置制御孔８の一端部に係止する係止具（不図示）と、係止具が設けられた調整板４ａ、４ｂ、４ｃの回動を規制するレバー１０とを備える。
【００３７】
該レバー１０は、略棒形状をなし、一端部が筐体２の側面に設けられた孔部１１から突出して配置され、他端部が係止具に接続されており、使用者がレバー１０を移動させることによって調整板４ａ、４ｂ、４ｃが位置制御孔８の一端部（または調整板の該一端部側に配置される一側端部）を軸として回動し、調整板４ａ、４ｂ、４ｃの筐体２の表面２ａに配置される位置を移動させるものである。
【００３８】
なお、本実施形態では上述したレバー１０が調整板４ａ、４ｂ、４ｃ毎に設けられているが、例えば全ての調整板４ａ、４ｂ、４ｃ同時に動かすことができるように構成されていてもよい。
【００３９】
上述のように構成された第２実施形態のストーブ６は、位置制御機構７によって、第１調整板４ａは、第３調整板４ｃが隣に配置する一側端部を軸として回動し、第２調整板４ｂは、第１調整板４ａが隣に配置する一側端部を軸として回動し、第３調整板４ｃは、第２調整板４ｂが隣に配置する一側端部を軸として回動するので、燃焼用流体が調整板４ａ、４ｂ、４ｃに当接する際の調整板４ａ、４ｂ、４ｃに対する入射角度を変化させて調整板４ａ、４ｂ、４ｃに当接した燃焼用流体の進行方向を所望の方向に変化させるとともに、隣り合う調整板４ａ、４ｂ、４ｃの空隙の大きさを変化させることにより、流路Ａ、Ｂ、Ｃから流入される燃焼用流体の流束を変化させることができる。そのため、燃焼部３の周囲に対流する流体の流速や流束を変えて燃焼部３の炎を回転させる回転速度を変化させることができる。したがって、所望の回転速度で炎を回転させて、燃焼部３の炎の形状を変えることができ、インテリアとしての視覚的な美観をさらに高めることができる。
【００４０】
本考案は上述の実施形態に限られたものではない。
【００４１】
上述の実施形態では、筐体を円柱形状としていたが、この実施形態に限られることなく、図７を示すように、筐体の形状を例えば四角柱形状等の多角柱形状にしてもよいし、星型等のモチーフを有する形状に変化させることもでき、使用者の所望する形状に適宜変化させることができる。
【００４２】
また、上記実施形態では、調整板の燃焼用流体が当接する当接面と燃焼用流体の進行方向とが略直角とならないように、調整板の当接面を燃焼用流体の進行方向と直角となる位置から予め傾けて配置したが、傾けずに配置してもよい。
【００４３】
さらに、調整板の枚数も３枚に限られたものではなく、２枚のものであってもよいし、図７に示すように４枚のものであってもよいし、その枚数は適宜変更することができる。
【００４４】
加えて、位置制御機構も上述の実施形態に限られることなく、調整板の筐体の表面に配置される位置を移動させる機構であれば適宜使用することができる。
【００４５】
また、位置制御機構は上述の構成に限られず、例えば、調整板の両側端部をそれぞれ軸として回動できるように構成してもよい。このように構成すれば、燃焼部の周囲に対流する流体の流れる方向を例えば時計周りから反時計回りに変化させることもできる。
【００４６】
本考案は、その趣旨に反しない範囲で様々な変形が可能である。
【符号の説明】
【００４７】
１・・・ストーブ
２・・・筐体
３・・・燃焼部
４・・・調整装置
４ａ、４ｂ、４ｃ・・・調整板
【図１】
0003226708.tif 000003
【図２】
0003226708.tif 000004
【図３】
0003226708.tif 000005
【図４】
0003226708.tif 000006
【図５】
0003226708.tif 000007
【図６】
0003226708.tif 000008
【図７】
0003226708.tif 000009